【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
正極および負極と共に電解液を備え、
（Ａ）前記正極は正極活物質を含み、その正極活物質は下記の式（１）で表されるリチウムリン酸化合物を含み、
（Ｂ）水銀圧入法により測定される前記正極の細孔分布は、孔径が０．０１μｍ以上０．１５μｍ未満である範囲内にピークＰ１を示すと共に、孔径が０．１５μｍ以上０．９μｍ以下である範囲内にピークＰ２を示し、
（Ｃ）前記ピークＰ１の強度Ｉ１と前記ピークＰ２の強度Ｉ２との比Ｉ２／Ｉ１は０．５〜２０であり、
（Ｄ）前記正極の空隙率は３０％〜５０％である、
二次電池。
Ｌｉa Ｍ１b ＰＯ4   ・・・（１）
（Ｍ１はＦｅ、Ｍｎ、Ｍｇ、Ｎｉ、Ｃｏ、Ａｌ、Ｗ、Ｎｂ、Ｔｉ、Ｓｉ、Ｃｒ、ＣｕおよびＺｎのうちの少なくとも１種であり、ａおよびｂは０≦ａ≦２およびｂ≦１を満たす。）
【請求項２】
前記リチウムリン酸化合物は下記の式（２）で表される化合物である、
請求項１記載の二次電池。
Ｌｉc Ｆｅd Ｍ２e ＰＯ4   ・・・（２）
（Ｍ２はＭｎ、Ｍｇ、Ｎｉ、Ｃｏ、Ａｌ、Ｗ、Ｎｂ、Ｔｉ、Ｓｉ、Ｃｒ、ＣｕおよびＺｎのうちの少なくとも１種であり、ｃ、ｄおよびｅは０≦ｃ≦２、０＜ｄ≦１、０≦ｅ＜１およびｄ＋ｅ≦１を満たす。）
【請求項３】
前記リチウムリン酸化合物は、複数の一次粒子の凝集体である二次粒子を含み、
前記一次粒子の平均粒径（Ｄ５０）は０．０５μｍ〜２μｍであると共に、前記二次粒子の平均粒径（Ｄ５０）は１μｍ〜３０μｍである、
請求項１または請求項２に記載の二次電池。
【請求項４】
前記一次粒子の表面の少なくとも一部に導電層を有し、
前記導電層は炭素材料を含む、
請求項３記載の二次電池。
【請求項５】
前記正極は正極結着剤を含み、
前記正極活物質の含有量は、前記正極活物質および前記正極結着剤の総含有量に対して８０重量％以上であり、
前記正極結着剤の含有量は、前記正極活物質および前記正極結着剤の総含有量に対して２０重量％以下である、
請求項１ないし請求項４のいずれか１項に記載の二次電池。
【請求項６】
前記正極は正極結着剤および正極導電剤を含み、
前記正極活物質の含有量は、前記正極活物質、前記正極結着剤および前記正極導電剤の総含有量に対して８０重量％以上であり、
前記正極結着剤の含有量は、前記正極活物質、前記正極結着剤および前記正極導電剤の総含有量に対して１０重量％以下であり、
前記正極導電剤の含有量は、前記正極活物質、前記正極結着剤および前記正極導電剤の総含有量に対して１０重量％以下である、
請求項１ないし請求項４のいずれか１項に記載の二次電池。
【請求項７】
リチウム二次電池である、
請求項１ないし請求項６のいずれか１項に記載の二次電池。
【請求項８】
（Ａ）活物質は下記の式（１）で表されるリチウムリン酸化合物を含み、
（Ｂ）水銀圧入法により測定される細孔分布は、孔径が０．０１μｍ以上０．１５μｍ未満である範囲内にピークＰ１を示すと共に、孔径が０．１５μｍ以上０．９μｍ以下である範囲内にピークＰ２を示し、
（Ｃ）前記ピークＰ１の強度Ｉ１と前記ピークＰ２の強度Ｉ２との比Ｉ２／Ｉ１は０．５〜２０であり、
（Ｄ）空隙率は３０％〜５０％である、
電極。
Ｌｉa Ｍ１b ＰＯ4   ・・・（１）
（Ｍ１はＦｅ、Ｍｎ、Ｍｇ、Ｎｉ、Ｃｏ、Ａｌ、Ｗ、Ｎｂ、Ｔｉ、Ｓｉ、Ｃｒ、ＣｕおよびＺｎのうちの少なくとも１種であり、ａおよびｂは０≦ａ≦２およびｂ≦１を満たす。）
【請求項９】
二次電池と、
その二次電池の使用状態を制御する制御部と、
その制御部の指示に応じて前記二次電池の使用状態を切り換えるスイッチ部と
を備え、
前記二次電池は正極および負極と共に電解液を備え、
（Ａ）前記正極は正極活物質を含み、その正極活物質は下記の式（１）で表されるリチウムリン酸化合物を含み、
（Ｂ）水銀圧入法により測定される前記正極の細孔分布は、孔径が０．０１μｍ以上０．１５μｍ未満である範囲内にピークＰ１を示すと共に、孔径が０．１５μｍ以上０．９μｍ以下である範囲内にピークＰ２を示し、
（Ｃ）前記ピークＰ１の強度Ｉ１と前記ピークＰ２の強度Ｉ２との比Ｉ２／Ｉ１は０．５〜２０であり、
（Ｄ）前記正極の空隙率は３０％〜５０％である、
電池パック。
Ｌｉa Ｍ１b ＰＯ4   ・・・（１）
（Ｍ１はＦｅ、Ｍｎ、Ｍｇ、Ｎｉ、Ｃｏ、Ａｌ、Ｗ、Ｎｂ、Ｔｉ、Ｓｉ、Ｃｒ、ＣｕおよびＺｎのうちの少なくとも１種であり、ａおよびｂは０≦ａ≦２およびｂ≦１を満たす。）
【請求項１０】
二次電池と、
その二次電池から供給された電力を駆動力に変換する変換部と、
その駆動力に応じて駆動する駆動部と、
前記二次電池の使用状態を制御する制御部と
を備え、
前記二次電池は正極および負極と共に電解液を備え、
（Ａ）前記正極は正極活物質を含み、その正極活物質は下記の式（１）で表されるリチウムリン酸化合物を含み、
（Ｂ）水銀圧入法により測定される前記正極の細孔分布は、孔径が０．０１μｍ以上０．１５μｍ未満である範囲内にピークＰ１を示すと共に、孔径が０．１５μｍ以上０．９μｍ以下である範囲内にピークＰ２を示し、
（Ｃ）前記ピークＰ１の強度Ｉ１と前記ピークＰ２の強度Ｉ２との比Ｉ２／Ｉ１は０．５〜２０であり、
（Ｄ）前記正極の空隙率は３０％〜５０％である、
電動車両。
Ｌｉa Ｍ１b ＰＯ4   ・・・（１）
（Ｍ１はＦｅ、Ｍｎ、Ｍｇ、Ｎｉ、Ｃｏ、Ａｌ、Ｗ、Ｎｂ、Ｔｉ、Ｓｉ、Ｃｒ、ＣｕおよびＺｎのうちの少なくとも１種であり、ａおよびｂは０≦ａ≦２およびｂ≦１を満たす。）
【請求項１１】
二次電池と、
その二次電池から電力を供給される１または２以上の電気機器と、
前記二次電池からの前記電気機器に対する電力供給を制御する制御部と
を備え、
前記二次電池は正極および負極と共に電解液を備え、
（Ａ）前記正極は正極活物質を含み、その正極活物質は下記の式（１）で表されるリチウムリン酸化合物を含み、
（Ｂ）水銀圧入法により測定される前記正極の細孔分布は、孔径が０．０１μｍ以上０．１５μｍ未満である範囲内にピークＰ１を示すと共に、孔径が０．１５μｍ以上０．９μｍ以下である範囲内にピークＰ２を示し、
（Ｃ）前記ピークＰ１の強度Ｉ１と前記ピークＰ２の強度Ｉ２との比Ｉ２／Ｉ１は０．５〜２０であり、
（Ｄ）前記正極の空隙率は３０％〜５０％である、
電力貯蔵システム。
Ｌｉa Ｍ１b ＰＯ4   ・・・（１）
（Ｍ１はＦｅ、Ｍｎ、Ｍｇ、Ｎｉ、Ｃｏ、Ａｌ、Ｗ、Ｎｂ、Ｔｉ、Ｓｉ、Ｃｒ、ＣｕおよびＺｎのうちの少なくとも１種であり、ａおよびｂは０≦ａ≦２およびｂ≦１を満たす。）
【請求項１２】
二次電池と、
その二次電池から電力を供給される可動部と
を備え、
前記二次電池は正極および負極と共に電解液を備え、
（Ａ）前記正極は正極活物質を含み、その正極活物質は下記の式（１）で表されるリチウムリン酸化合物を含み、
（Ｂ）水銀圧入法により測定される前記正極の細孔分布は、孔径が０．０１μｍ以上０．１５μｍ未満である範囲内にピークＰ１を示すと共に、孔径が０．１５μｍ以上０．９μｍ以下である範囲内にピークＰ２を示し、
（Ｃ）前記ピークＰ１の強度Ｉ１と前記ピークＰ２の強度Ｉ２との比Ｉ２／Ｉ１は０．５〜２０であり、
（Ｄ）前記正極の空隙率は３０％〜５０％である、
電動工具。
Ｌｉa Ｍ１b ＰＯ4   ・・・（１）
（Ｍ１はＦｅ、Ｍｎ、Ｍｇ、Ｎｉ、Ｃｏ、Ａｌ、Ｗ、Ｎｂ、Ｔｉ、Ｓｉ、Ｃｒ、ＣｕおよびＺｎのうちの少なくとも１種であり、ａおよびｂは０≦ａ≦２およびｂ≦１を満たす。）
【請求項１３】
二次電池を電力供給源として備え、
前記二次電池は正極および負極と共に電解液を備え、
（Ａ）前記正極は正極活物質を含み、その正極活物質は下記の式（１）で表されるリチウムリン酸化合物を含み、
（Ｂ）水銀圧入法により測定される前記正極の細孔分布は、孔径が０．０１μｍ以上０．１５μｍ未満である範囲内にピークＰ１を示すと共に、孔径が０．１５μｍ以上０．９μｍ以下である範囲内にピークＰ２を示し、
（Ｃ）前記ピークＰ１の強度Ｉ１と前記ピークＰ２の強度Ｉ２との比Ｉ２／Ｉ１は０．５〜２０であり、
（Ｄ）前記正極の空隙率は３０％〜５０％である、
電子機器。
Ｌｉa Ｍ１b ＰＯ4   ・・・（１）
（Ｍ１はＦｅ、Ｍｎ、Ｍｇ、Ｎｉ、Ｃｏ、Ａｌ、Ｗ、Ｎｂ、Ｔｉ、Ｓｉ、Ｃｒ、ＣｕおよびＺｎのうちの少なくとも１種であり、ａおよびｂは０≦ａ≦２およびｂ≦１を満たす。）
【手続補正２】
【補正対象書類名】明細書
【補正対象項目名】００８６
【補正方法】変更
【補正の内容】
【００８６】
さらに、溶媒は、酸無水物を含んでいることが好ましい。電解液の化学的安定性がより向上するからである。この酸無水物は、例えば、カルボン酸無水物、ジスルホン酸無水物、またはカルボン酸スルホン酸無水物などである。カルボン酸無水物は、例えば、無水コハク酸、無水グルタル酸または無水マレイン酸などである。ジスルホン酸無水物は、例えば、無水エタンジスルホン酸または無水プロパンジスルホン酸などである。カルボン酸スルホン酸無水物は、例えば、無水スルホ安息香酸、無水スルホプロピオン酸または無水スルホ酪酸などである。溶媒中における酸無水物の含有量は、特に限定されないが、例えば、０．５重量％〜５重量％である。ただし、酸無水物の具体例は、上記以外の他の化合物でもよい。
【手続補正３】
【補正対象書類名】明細書
【補正対象項目名】０１１２
【補正方法】変更
【補正の内容】
【０１１２】
第２手順では、正極３３に正極リード３１を取り付けると共に、負極３４に負極リード３２を取り付ける。続いて、セパレータ３５を介して正極３３および負極３４を積層してから巻回させて、巻回電極体３０の前駆体である巻回体を作製したのち、その最外周部に保護テープ３７を貼り付ける。続いて、２枚のフィルム状の外装部材４０の間に巻回体を挟み込んだのち、熱融着法などを用いて一辺の外周縁部を除いた残りの外周縁部を接着させて、袋状の外装部材４０の内部に巻回体を収納する。続いて、電解液と、高分子化合物の原料であるモノマーと、重合開始剤と、必要に応じて重合禁止剤などの他の材料とを含む電解質用組成物を調製して袋状の外装部材４０の内部に注入したのち、熱融着法などを用いて外装部材４０を密封する。続いて、モノマーを熱重合させて高分子化合物を形成する。これにより、ゲル状の電解質層３６が形成される。
【手続補正４】
【補正対象書類名】明細書
【補正対象項目名】０１２８
【補正方法】変更
【補正の内容】
【０１２８】
電流測定部６４は、電流検出抵抗７０を用いて電流を測定して、その測定結果を制御部６１に出力するものである。温度検出部６５は、温度検出素子６９を用いて温度を測定して、その測定結果を制御部６１に出力するようになっている。この温度測定結果は、例えば、異常発熱時に制御部６１が充放電制御を行う場合や、制御部６１が残容量の算出時に補正処理を行うために用いられる。電圧検出部６６は、電源６２中における二次電池の電圧を測定して、その測定電圧をアナログ／デジタル変換（Ａ／Ｄ）変換して制御部６１に供給するものである。